(57)【要約】      （修正有）【課題】患者に送気する時、吊り下げや持ち運びに便利な携帯型酸素リザーバーバッグを提供する。【解決手段】携帯型酸素リザーバーバッグ２は、側辺にフック部４が設けられ、表面にマグネットベルト７が設けられ、携帯型酸素リザーバーバッグとマグネットベルトとの連結部位に固定ベルト用係止金具１が設けられ、マグネットベルトの内部に強力磁石が設けられ、マグネットベルト表面の強力磁石に近い先端に強力磁石吸着部６が設けられ、携帯型酸素リザーバーバッグの右側に酸素流出口５が設けられ、左側に酸素流入口が設けられ、マグネットベルト内部の強力磁石に近い外側に磁石制限突起が設けられ、携帯型酸素リザーバーバッグの外周にエッジシール部３が設けられ、４個のフック部４は各々携帯型酸素リザーバーバッグの上下両側に取り付けられている。【選択図】図１
0003215680.tif 000002
【実用新案登録請求の範囲】
【請求項１】
携帯型酸素リザーバーバッグ（２）であって、前記携帯型酸素リザーバーバッグ（２）の側辺に酸素リザーバーバッグのフック部（４）が設けられ、かつ前記携帯型酸素リザーバーバッグ（２）と前記酸素リザーバーバッグのフック部（４）が固結し、前記携帯型酸素リザーバーバッグ（２）の表面にマグネットベルト（７）が設けられ、前記携帯型酸素リザーバーバッグ（２）と前記マグネットベルト（７）との連結部位に固定ベルト用係止金具（１）が設けられ、前記マグネットベルト（７）の内部に強力磁石（８）が設けられ、かつ前記マグネットベルト（７）表面の前記強力磁石（８）に近い先端に強力磁石吸着部（６）が設けられ、前記携帯型酸素リザーバーバッグ（２）の右側に酸素流出口（５）が設けられ、前記携帯型酸素リザーバーバッグ（２）の左側に酸素流入口が設けられ、前記マグネットベルト（７）内部の前記強力磁石（８）に近い外側に磁石制限突起（９）が設けられ、前記携帯型酸素リザーバーバッグ（２）の外周に酸素リザーバーバッグのエッジシール部（３）が設けられる構成において、
前記酸素リザーバーバッグのフック部（４）は、４個設け、かつ４個の前記酸素リザーバーバッグのフック部（４）が各々前記携帯型酸素リザーバーバッグ（２）の上下両側に取り付けられることを特徴とする携帯型酸素リザーバーバッグ。
【請求項２】
前記強力磁石（８）は、前記マグネットベルト（７）の内部に取り付けられ、かつ前記強力磁石（８）の表面にある前記強力磁石吸着部（６）が前記マグネットベルト（７）の表面に露出することを特徴とする請求項１に記載の携帯型酸素リザーバーバッグ。
【請求項３】
前記強力磁石（８）は、長方体構造とすることを特徴とする請求項１に記載の携帯型酸素リザーバーバッグ。
【請求項４】
前記酸素流出口（５）及び酸素流入口は、酸素チューブに接続することを特徴とする請求項１に記載の携帯型酸素リザーバーバッグ。
【考案の詳細な説明】
【技術分野】
【０００１】
本考案は、医療機器の技術分野に属し、特に、携帯型酸素リザーバーバッグに関する。
【背景技術】
【０００２】
医療機器産業は、医薬、機械、電子、ゴム等の複数業種に及び、一つの学際的、知識集約、資本集約のハイテク産業である。新しいハイテク医療機器の基本的特徴は、デジタル化及びコンピュータ化で、多学科、分野横断の現代ハイテクの結晶であり、その製品の技術レベルが高く、利益が高いため、各科学技術大国や世界的大手企業が主導権を争い、参入のハードルが比較的高い。業種全体の売上総利益率が比較的低く、投入も高くないサブ業種でも絶え間なく技術レベルが比較的高い製品は出現し、またその中から収益力に強い企業を育てることができる。よって業種全体の傾向は、高投入、高収益である。
【０００３】
しかしながら、従来の医療機器用酸素リザーバーバッグの使用過程中に欠陥が存在し、酸素リザーバーバッグで患者に送気する時、酸素リザーバーバッグの吊り下げや持ち運びに不便であるため、使用上の不便さが生じていた。
【考案の概要】
【考案が解決しようとする課題】
【０００４】
そこで、本考案は、上記背景技術内で指摘された従来の医療機器用酸素リザーバーバッグの使用過程中に欠陥が存在し、酸素リザーバーバッグで患者に送気する時、酸素リザーバーバッグの吊り下げや持ち運びに不便であるため、使用上不便という課題を解決する携帯型酸素リザーバーバッグを提供することを目的とする。
【課題を解決するための手段】
【０００５】
上記目的を達成するため、本考案の技術的手段としては、携帯型酸素リザーバーバッグ２を包括する携帯型酸素リザーバーバッグであって、前記携帯型酸素リザーバーバッグの側辺に酸素リザーバーバッグのフック部が設けられ、かつ携帯型酸素リザーバーバッグと酸素リザーバーバッグのフック部が固結し、前記携帯型酸素リザーバーバッグの表面にマグネットベルトが設けられ、携帯型酸素リザーバーバッグとマグネットベルトとの連結部位に固定ベルト用係止金具が設けられ、前記マグネットベルトの内部に強力磁石が設けられ、かつマグネットベルト表面の強力磁石に近い先端に強力磁石吸着部が設けられ、前記携帯型酸素リザーバーバッグの右側に酸素流出口が設けられ、携帯型酸素リザーバーバッグの左側に酸素流入口が設けられ、前記マグネットベルト内部の強力磁石に近い外側に磁石制限突起が設けられ、前記携帯型酸素リザーバーバッグの外周に酸素リザーバーバッグのエッジシール部が設けられる。
【０００６】
好ましくは、前記強力磁石は、４個設け、かつ４個の強力磁石が均しくマグネットベルトの内部に取り付けられる。
【０００７】
好ましくは、前記４個の強力磁石に対応する外側に均しく磁石制限突起が設けられる。
【０００８】
好ましくは、前記酸素リザーバーバッグのフック部は、４個設け、かつ４個の酸素リザーバーバッグのフック部が各々携帯型酸素リザーバーバッグの上下両側に取り付けられる。
【０００９】
好ましくは、前記携帯型酸素リザーバーバッグとマグネットベルトは、固定ベルト用係止金具を介して固結する。
【００１０】
好ましくは、前記強力磁石は、マグネットベルトの内部に取り付けられ、かつ強力磁石の表面にある強力磁石吸着部がマグネットベルトの表面に露出する。
【００１１】
好ましくは、前記強力磁石は、長方体構造とする。
【００１２】
好ましくは、前記酸素流出口及び酸素流入口は、酸素チューブに接続する。
【考案の効果】
【００１３】
従来技術に比べると、本考案は、従来の酸素リザーバーバッグの表面に一層の固定ベルトを設計し、固定ベルトの内部に強力磁石が設計され、医師又は看護師が救急車上で酸素リザーバーバッグを使用する時、酸素リザーバーバッグのフック部を見つけ出す必要がなく、固定ベルト内部の強力磁石によって救急車の内部に吸着させることができ、かつ操作が便利で、救急車から取り出す時、取り外すだけでよい。
【図面の簡単な説明】
【００１４】
【図１】本考案の構造を示す模式図である。
【図２】本考案に係る固定ベルト断面図である。
【考案を実施するための形態】
【００１５】
以下、本考案の実施例内の添付図面を組み合わせて本考案の実施例内の技術的手段について詳細に記述する。記述する実施例は、全部の実施例ではなく、ただ本考案の一部の実例だけである。本考案内の実施例に基づいて、当業者が進歩性の工夫を加えない前提において得られた全ての他の実施例は、本考案の保護範囲に属する。
【００１６】
図１及び図２を参照すると、本考案の技術的手段としては、携帯型酸素リザーバーバッグ２を包括する携帯型酸素リザーバーバッグであって、携帯型酸素リザーバーバッグ２の側辺に酸素リザーバーバッグのフック部４が設けられ、かつ携帯型酸素リザーバーバッグ２と酸素リザーバーバッグのフック部４が固結し、携帯型酸素リザーバーバッグ２の表面にマグネットベルト７が設けられ、携帯型酸素リザーバーバッグ２とマグネットベルト７との連結部位に固定ベルト用係止金具１が設けられ、マグネットベルト７の内部に強力磁石８が設けられ、かつマグネットベルト７表面の強力磁石８に近い先端に強力磁石吸着部６が設けられ、携帯型酸素リザーバーバッグ２の右側に酸素流出口５が設けられ、携帯型酸素リザーバーバッグ２の左側に酸素流入口が設けられ、マグネットベルト７内部の強力磁石８に近い外側に磁石制限突起９が設けられ、携帯型酸素リザーバーバッグ２の外周に酸素リザーバーバッグのエッジシール部３が設けられる。
【００１７】
本実施例において、好ましくは、強力磁石８は、４個設け、かつ４個の強力磁石８が均しくマグネットベルト７の内部に取り付けられる。
【００１８】
本実施例において、好ましくは、４個の強力磁石８に対応する外側に均しく磁石制限突起９が設けられる。
【００１９】
本実施例において、好ましくは、酸素リザーバーバッグのフック部４は、４個設け、かつ４個の酸素リザーバーバッグのフック部４が各々携帯型酸素リザーバーバッグ２の上下両側に取り付けられる。
【００２０】
本実施例において、好ましくは、携帯型酸素リザーバーバッグ２とマグネットベルト７は、固定ベルト用係止金具１を介して固結する。
【００２１】
本実施例において、好ましくは、強力磁石８は、マグネットベルト７の内部に取り付けられ、かつ強力磁石８の表面にある強力磁石吸着部６がマグネットベルト７の表面に露出する。
【００２２】
本実施例において、好ましくは、強力磁石８は、長方体構造とする。
【００２３】
本実施例において、好ましくは、酸素流出口５及び酸素流入口は、酸素チューブに接続する。
【００２４】
本考案の動作原理及び使用の流れ：本考案が取り付けられた後、使用の時、救急車において、看護師はフック部を見つけて酸素リザーバーバッグのフック部４を通じて携帯型酸素リザーバーバッグ２を吊り下げる必要がなく、携帯型酸素リザーバーバッグ２のマグネットベルト７を設けた一側を救急車の内壁又は担架の内壁に吸着すると、強力磁石８の吸着によって固定させることができ；
吸着過程中、強力磁石８の側辺にある強力磁石吸着部６は、マグネットベルト７の表面から露出するため、この場合マグネットベルト６を通じて吸着して固定でき、操作が便利になる。
【００２５】
以上に述べたのは、あくまでも本考案の実施例であって、本考案のさまざまな改良及び修飾が、本考案の原理及び精神とから外れることなく実施できることは、当業者には明白であろう。本考案の範囲は、添付する実用新案登録請求及びその均等物に限定される。
【符号の説明】
【００２６】
１  固定ベルト用係止金具
２  携帯型酸素リザーバーバッグ
３  酸素リザーバーバッグのエッジシール部
４  酸素リザーバーバッグのフック部
５  酸素流出口
６  強力磁石吸着部
７  マグネットベルト
８  強力磁石
９  磁石制限突起
【図１】
0003215680.tif 000003
【図２】
0003215680.tif 000004